(57)【要約】  本発明は吸収用品、特に少なくとも一つの層を具備してなる吸収構造体に関する。当該層は、表面層として、あるいは表面層と組み合わせて有利に使用できる。当該層は、それが濡れた状態となったとき、変形させられると共に収縮する変形可能な繊維を具備してなる。当該層は、それゆえ変形層を形成し、かつ少なくとも一つの明確な吸入口を具備してなる。この明確な吸入口は、それが濡れた状態となったとき変形させられると共に拡張される。繰り返し濡れることに関連する吸入の改善に加えて、本発明はまた、繰り返し濡れることと組み合わさった、ふん便の扱いに関する問題に対する解決策を提供する。
2008518734.tif 000002
【特許請求の範囲】
【請求項１】
少なくとも一つの層を具備してなる吸収構造体(９)であって、
前記層は、それが濡れた状態となったときに変形させられると共に収縮する変形可能な繊維を具備してなり、
前記層は変形層(３０２,４０２,５０２)であって、かつ少なくとも一つの明確な吸入口(３０６,４０６,５０６,６０６)を具備してなり、前記吸入口(３０６,４０６,５０６,６０６)は、それが濡れた状態となったときに変形させられると共に拡張されるようになっていることを特徴とする吸収構造体(９)。
【請求項２】
前記変形層(３０２,４０２,５０２)は、担体層(３０１,４０１)に対して取り付けられていることを特徴とする請求項１に記載の吸収構造体(９)。
【請求項３】
前記担体層(３０１,４０１)の上に本質的に互いに平行に配置された、少なくとも二つの変形層(３０２,４０２,５０２)を有することを特徴とする請求項２に記載の吸収構造体(９)。
【請求項４】
前記担体層(３０１,４０１)の上に本質的に互いに平行に配置された、少なくとも六つの変形層(３０２,４０２,５０２)を有することを特徴とする請求項２に記載の吸収構造体(９)。
【請求項５】
前記変形層(３０２,４０２,５０２)は支持層(３０５)を具備してなることを特徴とする請求項２に記載の吸収構造体(９)。
【請求項６】
前記明確な吸入口(３０６,４０６,５０６,６０６)は、前記変形層(３０２,４０２,５０２)の溝孔を具備してなることを特徴とする請求項１に記載の吸収構造体(９)。
【請求項７】
前記変形層(３０２,４０２,５０２)の溝孔を具備してなる、明確な吸入口(３０６,４０６,５０６,６０６)の長さは、濡れる前の状態で、約５〜５０ｍｍであることを特徴とする請求項１に記載の吸収構造体(９)。
【請求項８】
前記明確な吸入口(３０６,４０６,５０６,６０６)は、少なくとも二つの変形層(３０２,４０２,５０２)が本質的に互いに平行に配置された際に得られるスペースからなることを特徴とする請求項１に記載の吸収構造体(９)。
【請求項９】
明確な吸入口、および二つの変形層(３０２,４０２,５０２)間の距離は、濡れる前の状態で０〜３ｍｍであることを特徴とする請求項８に記載の吸収構造体(９)。
【請求項１０】
貯蔵層として吸収層(４０７,５０７)をさらに具備してなることを特徴とする請求項１に記載の吸収構造体(９)。
【請求項１１】
ティッシュ層によって取り囲まれていることを特徴とする請求項１に記載の吸収構造体(９)。
【請求項１２】
請求項１に記載の吸収構造体(９)を具備してなることを特徴とする吸収用品。
【請求項１３】
請求項１２に記載の吸収構造体(９)を具備してなる吸収用品であって、おむつ、生理用ナプキン、失禁用製品あるいはパンティーライナーであることを特徴とする吸収用品。
【発明の詳細な説明】
【技術分野】
【０００１】
本発明は吸収用品、好ましくは、おむつ、生理用ナプキン、失禁用ガードおよびパンティーライナーならびにその吸収構造体に関する。本発明は、とりわけ、濡れたときに変形すると共に収縮する変形可能な繊維を含む少なくとも一つの層を具備してなる吸収構造体に関する。
【背景技術】
【０００２】
急速な吸入は、長い間、吸収用品の開発における中心的な課題であった。吸収用品への液体の急速な吸入は、液体を吸収構造体によって処理できるようにするために必須である。これは繰り返し濡れる場合に特に当てはまる。
【０００３】
繰り返し濡れる場合、貯蔵層は、たいてい局所的に飽和状態となる。これは、表面側および(もし存在するならば)分散層(この層の用途は液体を急速に受け入れて分散させることである)の機能を悪化させる。漏れが生じるリスクは、吸入が過度にゆっくりとなされる場合には大きなものとなる。吸収用品はまた、着用者の方に面する表面が長い期間にわたって通常よりも濡れた状態である場合には、着用が不快なものとなることがある。
【０００４】
長年にわたって、吸収用品の吸入性能を改善するための数多くのさまざまな試みがなされてきた。たとえば、穿孔表面層、この表面層上の親水性濡れ領域、大きな細孔容積(空隙容量としても知られる)を有する分散層である。だが、この領域における、さらなる改善が依然として求められている。
【０００５】
ふん便の扱いを考慮した解決策も求められていた。吸収用品およびその構造体内でのふん便の扱いは、新しい素材およびコンセプトが検討されているとき、極めてしばしば全く無視される。ふん便の扱いは今日のおむつ産業における主要な未解決の問題の一つであるという事実にも関わらず、そうである。ふん便の移送には、それが吸収構造体へしみ込んでいくことを可能とするため、表面層に比較的大きな開口を必要とする。だが、表面層が目に付きやすい孔を有することは都合が悪い。なぜならば、着用者は用品の機能およびその耐漏れ性に関して早計な結論を出すことがあるためである。
【０００６】
濡れた状態となったときに変形する素材の使用については先に説明した。変形との表現はここでは構造の変化を表すのに用いている。この種の変形には素材の膨脹および収縮が含まれる。だが、素材は好ましくは化学的変化を経てはならない。変形は、たいてい、特定の要因(たとえば温度、ｐＨ)によって、あるいは液体と接触した場合に引き起こされる。これら基準を満たす層は、変形層と呼ぶことができる。
【０００７】
特許文献１には、表面層上に配置された層を備えた吸収用品が開示されているが、この層は濡れた際に収縮する。この層の目的は、着用者がおむつを濡らしてしまったことを知らせ、そして着用者が確実に肌に対する濡れの感触を経験するようにすることである。着用者が幼児である場合、この種の製品は、たとえば用便のしつけのために使用できる。
【０００８】
特許文献２には、液体にさらされたとき収縮する裏当て層が開示されている。収縮特性を付与するのに使用される素材としては、加水分解の度合いが少なくとも８８％の、好ましくは９５％の、そして仮に可能であるならば９８％であるポリビニルアルコールなどのポリマーが挙げられる。ポリビニルアルコールは、ポリビニルアセテートの加水分解によって製造される。加水分解の度合いとの表現は、ここでは、アセテート基が水酸基によって置き換えられた、モルで表したパーセンテージを表すのに用いている。ポリビニルアルコールの加水分解の程度が高くなればなるほど、ポリビニルアルコールの結晶的性質がますます強くなる。これは、ポリビニルアルコールの結晶化度はそれが液体と接触した際のポリマーの収縮能力に直線的に比例するという事実によって特許文献２において説明されている。それゆえ、高い結晶化度はより大きな収縮量をもたらす(すなわち素材はより多く収縮する)。
【０００９】
結晶化度(およびそれと共に、収縮できることに関するポリマーの特性)はまた、純粋に化学的な手法でアセテート基の置き換えの程度を高めることによって向上させることができる。結晶化度はまた、ポリマーを適当な機械的引っ張りによって加工処理することによって向上させることができる。これは、たとえば繊維および層およびフィルムのような構造体の形成中に慣例的に実施される。
【００１０】
ポリビニルアルコールが収縮するとき、これは、液体との接触によるポリビニルアルコールの結晶構造の部分的な分解および／または可塑化に起因すると考えられる。これは分子レベルで生じる。結晶構造は引っ張りの間に形成されるという事実によって、残留不平衡応力が素材中に残る。結晶は液体との接触時に可塑化されて、より柔軟になる。この結果、素材中の内部応力は低下し、素材がその初期の構造へ復帰することが可能となる。
【００１１】
特許文献３には変形可能な収縮繊維が開示されている。繊維の寸法は通常体温(約３７℃)にてその乾燥状態では安定であると言われている。だが、この寸法は同じ温度にて湿った状態では不安定であり、すなわち繊維は収縮し、変形する。繊維は繊維状ポリマーを含むが、このポリマーは、４２℃以上の乾燥ガラス転移温度(「乾燥Ｔｇ」)および３２℃以下の湿潤ガラス転移温度(「湿潤Ｔｇ」)を有する。
【００１２】
特許文献４には、収縮繊維のさらなる例が開示されているが、この例では、収縮繊維は、濡れたときにそれを収縮させるために吸収体の側方に縦方向に配置されている。
【００１３】
したがって、現在入手可能な吸収構造体および吸収用品を改良する方策(一方では繰り返し濡れるのに伴ってより素早い吸入を可能とする方策、および他方ではふん便が吸収構造体にしみ込むことを可能とし、こうすることで着用者の肌に対する刺激を防止することができる方策)に関しては余地がある。
【特許文献１】米国特許第5,885,264号明細書(US5,885,264)
【特許文献２】欧州特許出願公開第846,454号明細書(EP846,454A1)
【特許文献３】米国特許第6,605,349号明細書(US6,605,349B2)
【特許文献４】米国特許第4,357,938号明細書(US4,357,938)
【発明の開示】
【課題を解決するための手段】
【００１４】
本発明によって、冒頭で説明した種類の吸収構造体および吸収用品が実現されるが、これによって先に説明した構造体およびこの種の用品に関連する問題が本質的に回避される。本発明による吸収構造体は、何はさておき、それが変形層および少なくとも一つの明確な吸入口(この吸入口は濡れた状態となったとき変形すると共に広がる)を具備してなることによって特徴付けられる。
【００１５】
明確な(distinct)吸入口との表現は、ここでは、そして以下では、吸収用品およびその吸収構造体の濡れに伴って、それを通って液体が層を通過可能であるべき特別な入口(開口)を表すのに用いている。明確な吸入口との表現は、たとえば空気含有(airlaid)セルロース綿毛体にあるいは不織布表面層に自然に形成されるであろう繊維間の空隙を意味するものではない。自然な空隙は吸入口と呼べるが、明確な吸入口と呼ぶことはできない。穿孔された表面層は明確な吸入口を有する。この例の孔は、吸収構造体への液体の浸透を容易なものとするという特定の目的のために形成される。吸入との表現は、ふん便および液体の両方が吸収構造体に浸透できることを表す。
【００１６】
本発明は、好ましくは、その装着時に着用者の方に面すると考えられる吸収用品の一部分に配置される。したがって本発明は、表面層の一部として、あるいは液体分散層の一部として機能することができる。これに代えて、本発明は空間形成(volume-creating)表面層として機能することができる。濡れに伴って吸入口が変形したとき、これは、再び濡れるのに伴って、より広がった構造を実現し、そして吸入が良好になされるようにする。
【００１７】
変形層は、担体層に対して、たとえば接着剤、超音波溶着あるいは同様の取り付け手法を用いて取り付けることができる。担体層は、たとえばティッシュ層、穿孔フィルム、(たとえばポリプロピレンあるいはポリエチレンあるいはその混合物からなる)メッシュあるいは不織布層から形成可能である。担体層の目的は、製造および付加的な吸収層に対する取り付けを容易なものとすることである。
【００１８】
担体層の機能は、少なくとも二つの変形層が担体層上の水平面内に本質的に互いに平行に配置される場合に特に明瞭である。その場合、明確な液体流路が二つの変形層同士の間に形成される。明確な吸入口は濡れた後にだけ開くよう濡れるまでは０ｍｍの幅を有していてもよいことは本発明の範疇に含まれる。０ｍｍという表現は、本明細書では、吸入口の側面が濡れるまでは互いに接触状態にあることを表すのに用いている。変形層同士の間の好ましい幅は０〜１０ｍｍ、望ましくは０〜３ｍｍであろう。
【００１９】
ある実施形態では、６枚もの変形可能な層が本質的に互いに平行に存在可能である。だが、少なくとも２枚、３枚、４枚、５枚、６枚、７枚、８枚、９枚あるいは１０枚の変形可能な層が本質的に互いに平行に存在することも本発明の範疇に含まれる。本質的に平行という表現は、層が、製造時に手頃なコストで実施可能である限り互いに平行に、そして(これに反する記載がある場合を除いて)水平面内で平行に存在するべきであることを表すのに用いる。常に、あるバラツキおよび製造誤差の許容範囲(これは「本質的」の概念に含まれると考えることができる)が存在することを指摘しておく必要がある。変形可能な層はある実施形態では平行に存在する必要はない。それらは互いにある角度をなして存在していても、あるいは不規則なまたは規則正しいパターン(たとえば多数の円の態様、楕円の態様、長方形の態様、三角形の態様など)で存在していてもよい。変形層のパターンは必要に応じて改変することができる。
【００２０】
変形層はまた、いわゆる支持層を具備してなることができる。ある実施形態における支持層の機能は、たとえば図３ａおよび図３ｂに示すように、濡れに伴って明確な吸入口を形成することである。支持層は濡れに伴って収縮する素材から形成されない。したがって湾曲形状が濡れに伴って得られる。この湾曲形状はＪ字に似たものであると言うことができる。本発明が、たとえばおむつ内で表面層の下方で、吸収層の上に配置される場合、この湾曲形状は、表面層と吸収層との間に空間(ボリューム)を得るために利用可能である。この空間によって、表面層が吸収層に貯蔵されている液体と接触状態にないとき、着用者に、表面層が乾燥している感じを与えることが可能となる。
【００２１】
変形層が、それ自体均質な層からなる場合、上記明確な吸入口は溝孔から形成できる。この溝は、たとえば「ロータリーダイカット」(ＲＤＣ)ローラーを用いて形成できる。この溝は、濡れる前は５〜５０ｍｍの長さとすることができる。溝切り(slotting)に関連する幅は約０〜３ｍｍである。０ｍｍという表現は、本明細書では、溝が形成されていることを意味するのに用いている。但し切断面の繊維は溝切り後に互いに係合するであろう。これは、当該地点に切断面が存在しているという事実にもかかわらず、明確な吸入口は一見したところ０ｍｍであるように見えることを意味する。だが明確な吸入口は、濡れに伴って明確なものとなる。明確な吸入口はまた、当該分野では一般的な器具を用いて打ち抜き形成することもできる。この例では、長さはやはり５〜５０ｍｍであり、そして明確な吸入口の幅は２〜１０ｍｍである。
【００２２】
吸収構造体は、同様に、たとえば貯蔵層などのような付加的な吸収層と組み合わせて有利に配置できる。その場合、当該構造体は好ましくは使用時に着用者の方に面する吸収層の側に配置される。吸収層は、当該分野では既に一般的な数多くのさまざまな素材(たとえば超吸収材、臭気抑制剤など)から構成できる。吸収層はまた、数多くのさまざまな吸収層、セルロース材料の層、超吸収材の層、臭気抑制剤の層などから構成できる。
【００２３】
本発明による吸収構造体は、取り扱いを容易なものとすると共に快適性を向上させるために、ティッシュの層あるいはその他の層によって取り囲むことができる。さらなる表面層によって、たとえば、本発明を日常着用者にとって目につかないものとするか、あるいは着用者に面するより柔らかな表面を提供することができる。
【００２４】
本発明は吸収用品内に、好ましくはおむつ、失禁用製品あるいはパンティーライナー内に有利に配置できる。
【発明を実施するための最良の形態】
【００２５】
以下、図面を参照して、本発明について詳しく説明する。
【００２６】
本発明は吸収用品、たとえばおむつ、失禁用ガードなどに関する。さらに詳しく言うと、本発明は、表面層、表面層の一部、分散層あるいは分散層の一部に関する。本発明の目的は、とりわけ、繰り返し濡れることに伴って吸収用品への吸入具合を向上させることである。
【００２７】
吸収用品の一例として、おむつを主として説明する。おむつは、縦方向(長手方向)中心線および横方向(横断方向)中心線を有する。図１にはおむつを示すが、このおむつは、前端部１および後端部２と、中間股部３(これはおむつの装着時に着用者の脚間に配されることになる)と、縦方向側縁部４,５および横方向側縁部６,７と、下方の液密裏当て層８と、吸収構造体９と、第１の液体透過性表面層１０と、縦方向漏れバリア１５,１６とを具備してなる。漏れバリア１５,１６は伸縮体を含み、したがって少なくともその中央部においては緊密に集まっている(ギャザーを形成している)。側方フラップ１１,１２(これは、漏れバリア１５,１６の外側横方向に、そして少なくとも股部３において延在している)は、その自由側縁部に沿って縦方向弾性要素１３,１４を有するが、この弾性要素１３,１４は、用品の装着時には脚用伸縮体として機能する。
【００２８】
本おむつはまた、Velcro(登録商標)の形態の取り付け機構１９,２０(ここでは、おむつの表面層に向って折り込まれた状態で示す)を含むが、接着剤が塗布されたテープを使用してもよい。
【００２９】
側方フラップ１１,１２の前端部２３,２４と後端部２５,２６は、おむつの、前端部１および後端部２に見出すことができる。図１および図２の吸収用品は、側方フラップ１１,１２の前端部２３,２４と後端部２５,２６との間に前部および後部ウエスト伸縮体２７,２８をそれぞれ有する。図１および図２に示すように、これらは横方向縁部６,７に存在していてもよい。前部および後部ウエスト伸縮体２７,２８は、横方向縁部６,７の長さの概ね三分の一にわたって延在する。他の実施形態では、後部ウエスト伸縮体のみが存在してもよい。吸収用品全体の横方向縁部の両方にわたって延在するウエスト伸縮体が存在していてもよい。
【００３０】
装着状態にある、おむつの外観を図２に示す。おむつの前端部１および後端部２を、中間股部３と共に、そこに見出すことができる。前部１は取り付け機構１９,２０によって後部２に対して取り付けられており、そして着用者の腹部用の開口２１がおむつの上端に形成されており、かつ着用者の脚用の開口２２もまた認識できる。側方フラップ１１および上方突出漏れバリア１５を、着用者の脚用の開口２２の縁部に見出すことができ、それは用品の側縁部４によって境界が画定される。漏れバリア１５は、それに対して、予め緊張させられた状態で取り付けられた弾性要素によって、少なくともその真ん中部分においてギャザーが形成されている。伸縮体は使用時に引き伸ばされるが、これは、漏れバリア１５が着用者に面して上方を向き、そして漏れが防止されるよう装着者の脚の周りにぴったりとフィットすることを意味する。
【００３１】
吸収構造体９は、いわゆる超吸収品が添加されたあるいはそれが添加されていないセルロース綿毛体から形成できる。だが吸収体は、たとえばおむつ、パンツ型おむつ、失禁用ガード、パンティーライナーなどの吸収用品用の吸収体において使用される標準的な素材あるいは素材群から形成できる。吸収構造体９はまた、吸収素材からなる一つ以上の層から形成することもできる。吸収構造体は、通常、詰め物(いわゆる分散層)の層を含むが、これは、液体受け表面層１０から排出液体の急速な除去を可能とする。吸収構造体９に含まれる層のそれぞれは、もちろん超吸収材を含むことができる。吸収用品に適合し得る多数の吸収構造体は、欧州特許第659,541号明細書に詳しく開示されている。吸収構造体のその他の例は、たとえば国際公開第93/21882号パンフレットに見出すことができる。だが、本発明はこれら実施形態に限定されるものではなく、それらは例と見なすべきである。
【００３２】
液密裏当て層８は、液密プラスチックフィルム、液体遮断素材で覆われた不織布層、あるいは液体の浸透に抗する能力を有する素材からなるその他の柔軟な層からなることが、あるいはそれらを具備してなることができる。液密裏当て層８が通気性を有することが、すなわち水蒸気が層８を通過できるならば概して有利である。
【００３３】
本発明の技術的原理について、ここで詳しく説明する。図３ａ〜図３ｄには担体層３０１を示すが、これは、流れ(機械加工)方向に六つの縦方向変形層３０２を有する。図３ａ〜図３ｄの担体層３０１は、おむつ装着時に、着用者とは反対の側に面するようになっており、そして変形層３０２はおむつ装着時に着用者の方に面するようになっている。変形層３０２は、接着剤のストリング３０３によって、担体層３０１にしっかりと取り付けられている。接着剤のストリング３０３は、図３ａ〜図３ｄにおいては、変形層３０２の右側に位置している。もちろん、接着剤以外の取り付け法を用いることもできる。たとえば、超音波溶着を利用できる。取り付け法は、個々のポイント、連続線、破線、正弦曲線あるいは斜線の形態であってもよい。分かりやすくするために、多数のポイントを備えた列はここでは線を形成していると見なすことができる。たとえば、接着剤のストリングを変形層の中央に、あるいは変形層の左側に配置することも本発明の範疇に含まれる(図４ａおよび図４ｂ)。
【００３４】
明確な吸入口３０６を、図３ａ〜図３ｄにおいて、各変形層３０２間に見出すことができる。明確な吸入口という表現は、吸収用品およびその吸収構造体９の濡れに伴い、そこを液体が通過できなければならない特有の流路(開口)を意味する。明確な吸入口という表現は、たとえばセルロース綿毛状パルプ体に自然に形成されることがある繊維間の空隙を意味するものではない。明確な吸入口は、たとえば、変形層３０２に切り込みを入れることによって、あるいは図３ａ〜図３ｄに示すように、多数の変形層間の所定の空間によって形成されている。
【００３５】
図３ａ〜図３ｄの変形層３０２は二つの層を有する。おむつ装着時に着用者の方に面するよう意図された側には変形可能な繊維の層３０４が存在し、この繊維には、濡れに伴って変形および収縮が生じる。そうした繊維は先に説明したのでここではこれ以上詳しく説明しないが、例としてポリビニルアルコールからなる繊維が挙げられる。使用者とは逆側に面する変形可能な繊維層３０４の側には、不織布繊維、たとえばポリプロピレン繊維からなる層(以下では支持層３０５という)が設けられている。
【００３６】
変形可能な層３０４は支持層３０５の上に配置されており、それと一緒に変形層３０２と呼ぶ。変形層３０２は担体層３０１の上にしっかりと配置されている。
【００３７】
変形層３０２を備えた担体層３０１を図３ａに断面でみることができる。同じ層を図３ｂに上から見て示す。この層は、図３ａおよび図３ｂには、変形が生じる前の乾燥状態にて示されている。図３ｃおよび図３ｄでは、当該層は、たとえば着用者が排出した尿によって濡れた状態となっている。変形可能な繊維層３０４は、これに伴って変形し、収縮している。変形層３０２は、明確な吸入口３０６が拡張し、そして吸収構造体および吸収用品内への一層急速な吸入を可能とし得るように曲がる。
【００３８】
断面で見た吸収構造体を図４ａおよび図４ｂに示す。変形層４０２は、超音波溶着によって、担体層４０１上にしっかりと取り付けられている。変形層４０２はここでは単一の層だけからなる。この層は、もっぱら濡れに伴って収縮する変形可能な繊維から、あるいは収縮する変形可能な繊維および普通の合成繊維、たとえばポリプロピレン繊維あるいはポリエチレン繊維の混合物から形成できる。セルロース繊維を組み合わせることも可能である。
【００３９】
超音波溶着部４０３を異なるポイントに配置でき、これによって超音波溶着部４０３は別のやり方で変形層４０２を固定することになる。これによって吸収構造体にとって数多くの利点がもたらされる。たとえば、結果として生じる、異なる明確な吸入口が異なるサイズのものとなるように、変形層は変形させられかつ収縮できる。
【００４０】
変形層４０２は、その水平方向の広がりの中に互いに平行に配置されており、この結果、明確な吸入口４０６が変形層同士の間に形成される。図４ｂでは、明確な吸入口は濡らされた後に拡張し、そして変形層４０２は収縮してしまっている。これは、繰り返し濡れることに伴って変形層がより高い吸入度を示し、ある場合には著しく高い吸入度を示すことを意味する。
【００４１】
吸収層４０７は担体層４０１の下方に配置されており、そして先に説明したように、この吸収層は一つ以上の層を具備してなることができる。
【００４２】
数多くの吸収構造体(これは本発明と組み合わせて使用可能である)が欧州特許第659,541号明細書に開示されている。吸収構造体の他の好適な例は、たとえば国際公開第93/21882号パンフレットに見出すことができる。だが、本発明は単にこれらのものに限定されるわけではなく、それらは単に例と見なすべきである。
【００４３】
本発明のさらなる例証的実施形態を図５ａおよび図５ｂに示す。この例証的実施形態では、単一の変形層５０２のみが吸収層５０７上に配置されているだけである。変形層５０２は、接着剤からなる二つのストリング５０３によって、吸収層５０７に対して取り付けられている。多数のその他の取り付け手法を用いることも、もちろん本発明の範疇に含まれる。
【００４４】
変形層５０２は多数の明確な吸入口５０６を有する。この明確な吸入口は、いわゆる「ロータリーダイカット」(ＲＤＣ)ローラーを用いて形成(カット)された。もちろん、層に明確な吸入口を形成するためのさまざまな方法が存在する。穿孔はもう一つの手法である。図５ａに示す吸入構造体は濡れる前に断面で見たものである。明確な吸入口は、変形層５０２全体を貫通する小さな切込みとしてのみ認識できる。図５ｂでは濡れた後の吸入構造体が示されている。明確な吸入口は、変形層５０２中の変形可能な繊維の変形および収縮によって拡張している。この例では変形層５０２は収縮してしまっている。明確な吸入口５０６の拡張によって、続いて濡れるのに伴って吸入を促進することが可能となる。なぜなら、その場合、液体は直ぐ下の吸収体に、より素早く到達できるからである。
【００４５】
吸収用品の概略形態を図６ａ〜図６ｃに示す。明確な吸入口６０６のパターンをこれらの図から見出すことができる。分かりやすくするために、おむつが含んでいてもよい、その他の構成要素は、この概略図には示していない。図３〜図５に示す本発明の実施形態の組み合わせは、当然のことながら本発明の範疇に含まれる。そうした組み合わせはまた、概略図６ａ〜６ｆにしたがって配置できる。
【図面の簡単な説明】
【００４６】
【図１】おむつを表面層に面する側から見て示す図である。
【図２】通常使用状態に組み上げられたおむつを示す図である。
【図３ａ】担体層上に配置された、乾燥状態にある多数の変形層を示す断面図である。
【図３ｂ】担体層上に配置された、乾燥状態にある多数の変形層を、上から表面と直交する方向に見て示す図である。
【図３ｃ】担体層上に配置された、濡れた状態にある多数の変形層を示す断面図である。
【図３ｄ】担体層上に配置された、濡れた状態にある多数の変形層を上から見て示す図である。
【図４ａ】吸収体上に配置された担体層と共に変形層を示す断面図である。
【図４ｂ】吸収体上に配置された担体層と共に変形層を示す断面図である。
【図４ｃ】吸収体上に配置された担体層と共に変形層を示す断面図である。
【図４ｄ】吸収体上に配置された担体層と共に変形層を示す断面図である。
【図５ａ】吸収層上に配置された変形層を示す断面図である。
【図５ｂ】吸収層上に配置された変形層を示す平面図である。
【図６ａ】明確な吸入口の形態に係る実例を示す図である。
【図６ｂ】明確な吸入口の形態に係る実例を示す図である。
【図６ｃ】明確な吸入口の形態に係る実例を示す図である。
【図６ｄ】明確な吸入口の形態に係る実例を示す図である。
【図６ｅ】明確な吸入口の形態に係る実例を示す図である。
【図６ｆ】明確な吸入口の形態に係る実例を示す図である。
【符号の説明】
【００４７】
１  前端部
２  後端部
３  中間股部
４,５  長手方向側縁部
６,７  横方向側縁部
８  液密裏当て層
９  吸収構造体
１０  液体透過性表面層
１１,１２  側方フラップ
１３,１４  弾性要素
１５,１６  長手方向漏れバリア
１９,２０  取り付け機構
２１  着用者の腹部用開口
２２  着用者の脚用開口
２３,２４  側方フラップの前端部
２５,２６  側方フラップの後端部
２７  前部ウエスト伸縮体
２８  後部ウエスト伸縮体
３０１  担体層
３０２  変形層
３０３  接着剤のストリング
３０４  変形可能な繊維層
３０５  支持層
３０６  明確な吸入口
４０１  担体層
４０２  変形層
４０３  超音波溶着部
４０６  明確な吸入口
４０７  吸収層
５０２  変形層
５０３  接着剤のストリング
５０６  明確な吸入口
５０７  吸収層
６０１  吸収用品の概略イメージ
６０６  明確な吸入口のパターン
【図１】
2008518734.tif 000003
【図２】
2008518734.tif 000004
【図３ａ】
2008518734.tif 000005
【図３ｂ】
2008518734.tif 000006
【図３ｃ】
2008518734.tif 000007
【図３ｄ】
2008518734.tif 000008
【図４ａ】
2008518734.tif 000009
【図４ｂ】
2008518734.tif 000010
【図５ａ】
2008518734.tif 000011
【図５ｂ】
2008518734.tif 000012
【図６ａ】
2008518734.tif 000013
【図６ｂ】
2008518734.tif 000014
【図６ｃ】
2008518734.tif 000015
【図６ｄ】
2008518734.tif 000016
【図６ｅ】
2008518734.tif 000017
【図６ｆ】
2008518734.tif 000018
【国際調査報告】
2008518734.tif 000019
2008518734.tif 000020
2008518734.tif 000021